(57)【要約】【課題】  止水性が良好な二段式ゲートであり、上段扉を単独で昇降可能な二段式ゲートの開閉装置を提供することを目的とするものである。【解決手段】  上段扉５と下段扉４とを開閉する開閉機構が設けられた二段式ゲート１０の開閉装置であって、下段扉４の両側壁上部に係合軸４ｂが設けられ、かつ上段扉５の両側壁中央部に耳部５ａが設けられ、前記開閉機構が、下段扉４の係合軸４ｂに係脱自在のフック１２と上段扉５の耳部５ａに係合する昇降用係合部１４とを備え、フック１２は、開閉機構の昇降操作により下段扉４の係合軸４ｂに係脱し、フック１２を係合軸４ｂに係着させて下段扉４を上段扉５とともに上方に引き上げてゲートを全開状態とし、または下段扉４の係合軸４ｂをフック１２から脱着して下段扉４をゲート底部に残置し、上段扉５の耳部５ａを昇降用係合部１４に係合させて上段扉５を引き上げ、下段扉４による堰上げ状態とし、若しくは下段扉４に上段扉４を重ねてゲートを全閉状態とする。【選択図】  図１
2005325557.tif 000002
【特許請求の範囲】
【請求項１】
上段扉と下段扉を開閉する開閉機構がゲートに設けられた二段式ゲートの開閉装置において、該下段扉の両側壁上部に係合軸が設けられ、かつ該上段扉の両側壁中央部に耳部が設けられ、前記開閉機構が、該下段扉の該係合軸に係脱自在のフックと該上段扉の該耳部に係合する昇降用係合部とを備え、前記フックは、該開閉機構の昇降操作により前記下段扉の該係合軸に係脱し、該フックを該係合軸に係着させて該下段扉を該上段扉とともに上方に引き上げてゲートを全開状態とし、または該下段扉の該係合軸を前記フックから脱着して該下段扉をゲート底部に残置し、該上段扉の該耳部を前記昇降用係合部に係合させて該上段扉を引き上げ、該下段扉による堰上げ状態とし、若しくは前記開閉機構により該上段扉を降下させて該下段扉に該上段扉を重ねてゲートを全閉状態とすることを特徴とする二段式ゲートの開閉装置。
【請求項２】
前記開閉機構が、操作棒に連動して上下に昇降するリフティングビームの両端部に昇降棒が固定され、該昇降棒の下端部に前記フックが設けられ、該フックより上部に前記昇降用係合部が設けられ、前記フックが支持軸により軸支された二枚のフック部材からなり、該フック部材に掛合部とガイド孔とを有し、該フック部材の内面側両面に該ガイド孔に沿うガイド溝が設けられ、該フック部材間にスプリングを設けて拡開自在とし、かつ該フック部材の前記掛合部側に付勢するスプリングを設けたことを特徴とする請求項１に記載の二段式ゲートの開閉装置。
【請求項３】
前記開閉機構のフックが、操作棒に連動して上下に昇降するリフティングビームの両端部に固定された昇降棒の下端部に前記フックが設けられ、該フックより上部に前記係合部が設けられ、前記フックが掛合部を有するフック部材と、該掛合部に該掛合部の上部に該フック部材の回動自在に設けられた揺動部材とが設けられていることを特徴とする請求項１に記載の二段式ゲートの開閉装置。
【請求項４】
前記フック部材の前記掛合部の上部に前記係合軸が該掛合部から沿って脱着するようにガイドする傾斜面が形成され、かつ該フック部材を降下する際、該掛合部の外底部に該係合軸が該掛合部にガイドする傾斜面が形成されたことを特徴とする請求項３に記載の二段式ゲートの開閉装置。
【発明の詳細な説明】
【技術分野】
【０００１】
本発明は、水門を開閉して水位を調整したり、堰上げ状態が容易にできる二段式ゲートの開閉装置に関するものである。
【背景技術】
【０００２】
従来、水門には、例えば図９，図１０の二段式ゲートがある。この種のゲートでは、図９（ａ）のように上下段扉１，２による全閉状態としたり、図９（ｂ）のように下段扉１に上段扉２を水流方向前後に並べて堰上げ状態としたり、或いは図９（ｃ）のように上下段扉１，２を引き上げた全開状態とし、水位の調整を行っている。全開状態では、下段扉１の上部に設けた係合突起１ａと、上段扉２の下部に設けた係合突起２ａとを掛合させて下段扉１と上段扉２とを引き上げて全開状態としている。また、ゲートを全開する際、フックを利用して下段扉１をフックに引っ掛けて引き上げる方法がある。
【０００３】
また、図１０に示したように、下段扉１の扉高さｈ１に対して上段扉２の扉高さｈ２が高い場合、河床に溝２３を設けてこの溝２３に上段扉２の底部を挿入し堰上げ高さｈ１を設定しているが、土砂が溝２３を埋めてしまい、堰上げ高さｈ１を所定の堰上げ高さｈ１に設定できないおそれがあった。
【０００４】
【特許文献１】特開２００２−２５６５３５号公報（明細書〔０００２〕〜〔０００６〕，図面図６，図７）
【発明の開示】
【発明が解決しようとする課題】
【０００５】
従来の二段式ゲートでは、下段扉１と上段扉２とが摺動する構造であり、ゲートを全閉状態では、図９（ａ）に示したように、ゲート底部に下段扉１を残置し、下段扉１の上部に上段扉２の下部を接触させて水密性を保つようにしており、このような下段扉１と上段扉２とが摺動する構造では、下段扉１及び上段扉２に水圧が加わって撓み、上段扉と下段扉の撓みの差異が生じて下段扉１と上段扉２との水密性が悪くなり、ゲートとしての止水性を悪化させるといった問題があった。
【０００６】
また、下段扉１と上段扉２との扉高さが異なる場合には、図１０に示したように、河床に溝２３を形成して堰上げ高さを調整する必要があり、下段扉１をゲート底部に残置し、水流方向に対して後方の溝２３に上段扉２を差し込んで下段扉１と上段扉２とを並べて配置し、堰上げ高さを設定しているが、この溝２３に土砂が流入した場合、堰上げ高さの設定が正確にできないおそれがあった。
【０００７】
また、従来の二段式ゲートでは、上段扉２を単独で昇降させることができないものが普通であり、必要な堰上げ高さを設定しようとすると、上段扉の扉高さが下段扉の扉高さより非常に大きくなる場合が多々あり、上段扉を折り畳むなどの複雑な機構とする必要があり、高価なものとなるといった問題があった。
【０００８】
本発明は、上述のような課題に鑑みなされたものであり、止水性が良好な構造の二段式ゲートであり、上段扉を単独で昇降可能なものとして、任意の堰上げ高さに設定できる二段式ゲートの開閉装置を提供することを目的とするものである。
【課題を解決するための手段】
【０００９】
本発明は、上記課題を達成したものであって、請求項１の発明は、上段扉と下段扉を開閉する開閉機構がゲートに設けられた二段式ゲートの開閉装置において、該下段扉の両側壁上部に係合軸が設けられ、かつ該上段扉の両側壁中央部に耳部が設けられ、前記開閉機構が、該下段扉の該係合軸に係脱自在のフックと該上段扉の該耳部に係合する昇降用係合部とを備え、前記フックは、該開閉機構の昇降操作により前記下段扉の該係合軸に係脱し、該フックを該係合軸に係着させて該下段扉を該上段扉とともに上方に引き上げてゲートを全開状態とし、または該下段扉の該係合軸を前記フックから脱着して該下段扉をゲート底部に残置し、該上段扉の該耳部を前記昇降用係合部に係合させて該上段扉を引き上げ、該下段扉による堰上げ状態とし、若しくは前記開閉機構により該上段扉を降下させて該下段扉に該上段扉を重ねてゲートを全閉状態とすることを特徴とする二段式ゲートの開閉装置である。
【００１０】
また、請求項２の発明は、前記開閉機構が、操作棒に連動して上下に昇降するリフティングビームの両端部に昇降棒が固定され、該昇降棒の下端部に前記フックが設けられ、該フックより上部に前記係合部が設けられ、前記フックが支持軸に軸支された二枚のフック部材からなり、該フック部材に掛合部とガイド孔とを有し、該フック部材の内面側両面に該ガイド孔に沿うガイド溝が設けられ、該フック部材間にスプリングを設けて拡開自在とし、かつ該フック部材の前記掛合部側に付勢するスプリングを設けたことを特徴とする請求項１に記載の二段式ゲートの開閉装置である。
【００１１】
また、請求項３の発明は、前記開閉機構のフックが、操作棒に連動して上下に昇降するリフティングビームの両端部に固定された昇降棒の下端部に前記フックが設けられ、該フックより上部に前記係合部が設けられ、前記フックが掛合部を有するフック部材と、該掛合部に該掛合部の上部に該フック部材の回動自在に設けられた揺動部材とが設けられていることを特徴とする請求項１に記載の二段式ゲートの開閉装置である。
【００１２】
また、請求項４の発明は、前記フック部材の前記掛合部の上部に前記係合軸が該掛合部から沿って脱着するようにガイドする傾斜面が形成され、かつ該フック部材を降下する際、該掛合部の外底部に該係合軸が該掛合部にガイドする傾斜面が形成されたことを特徴とする請求項３に記載の二段式ゲートの開閉装置である。
【発明の効果】
【００１３】
請求項１の発明では、上段扉と下段扉とを開閉する開閉機構がゲートに設けられた二段式ゲートの開閉装置において、該下段扉の両側壁上部に係合軸が設けられ、かつ該上段扉の両側壁中央部に耳部が設けられ、前記開閉機構が、該下段扉の該係合軸に係脱自在のフックと該上段扉の該耳部に係合する昇降用係合部とを備え、前記フックは、該開閉機構の昇降操作により前記下段扉の該係合軸に係脱し、該フックを該係合軸に係着させて該下段扉を該上段扉とともに上方に引き上げてゲートを全開状態とし、または該下段扉の該係合軸を前記フックから脱着して該下段扉をゲート底部に残置し、該上段扉の該耳部を前記昇降用係合部に係合させて該上段扉を引き上げ、該下段扉による堰上げ状態とし、もしくは前記開閉機構により該上段扉を降下させて該下段扉に該上段扉を重ねてゲートを全閉状態とすることを特徴とする二段式ゲートの開閉装置であり、開閉機構の昇降操作によって、フックが下段扉の係合軸に係脱することができるので、堰上げ状態に設定する際、下段扉を残置して、開閉機構の昇降用係合部を上段扉の耳部に係合して引き上げることにより、下段扉により必要な堰上げ高さを設定することが可能であり、しかも上段扉の扉高さが下段扉の扉高さより大きい場合であっても、河床に溝を設けて高さの調整をする必要がない利点がある。また、上段扉と下段扉とが摺動するような構成にする必要がなく、下段扉に上段扉を積み重ねた構造で良いので、全閉時には上下段扉に水位に応じた水圧が加わり、上下段扉の極端な撓みの相違による水密性の劣化が解消され、止水性が良好となる利点がある。
【００１４】
また、請求項２の発明では、前記開閉機構が、操作棒に連動して上下に昇降するリフティングビームの両端部に昇降棒が固定され、該昇降棒の下端部に前記フックが設けられ、該フックより上部に前記係合部が設けられ、該昇降棒に前記上段扉及び下段扉を上下方向に摺動し、前記フックが支持軸に二枚のフック部材からなり、該フック部材に掛合部とガイド孔とを有し、該フック部材の内面側両面に該ガイド孔に沿うガイド溝が設けられ、該フック部材間にスプリングを設けて拡開自在とし、かつ該フック部材の前記掛合部側に付勢するスプリングを設けたことを特徴とする請求項１に記載の二段式ゲートの開閉装置であり、フックに掛合部とガイド孔とガイド孔に沿って内面側にガイド溝とが形成され、かつスプリング機構により、開閉機構の昇降操作に基づいて、フックは下段扉の両側壁上部に設けられた係合軸と自動的に着脱できる利点がある。
【００１５】
また、請求項３の発明では、前記開閉機構のフックが、操作棒に連動して上下に昇降するリフティングビームの両端部に固定された昇降棒の下端部に前記フックが設けられ、該フックより上部に前記係合部が設けられ、前記フックが掛合部を有するフック部材と、該掛合部に該掛合部の上部に該フック部材の回動自在に設けられた揺動部材とが設けられていることを特徴とする請求項１に記載の二段式ゲートの開閉装置であり、フックに揺動部材が設けられており、揺動部材は下段扉の両側壁上部に設けられた係合軸が開閉機構の昇降操作により、掛合部に係合させたり、係合軸が掛合部に係合した状態からさらにフックを降下させると、係合軸を掛合部から脱着させる働きをして、フックの掛合部と下段扉の係合部との係脱を容易なものとし得る利点がある。
【００１６】
また、請求項４の発明では、前記フック部材の前記掛合部の上部に前記係合軸が該掛合部から沿って脱着するようにガイドする傾斜面が形成され、かつ該フック部材を降下する際、該掛合部の外底部に該係合軸が該掛合部にガイドする傾斜面が形成されたことを特徴とする請求項３に記載の二段式ゲートの開閉装置であり、フックに二箇所傾斜面が設けられており、開閉機構による昇降操作に基づいて下段扉の係合軸の着脱が容易になる利点がある。
【発明を実施するための最良の形態】
【００１７】
以下、本発明に係る二段式ゲートの開閉装置の実施形態について図面を参照して説明する。図１〜図３は本実施形態における二段式ゲートの開閉状態を示す図であり、図１はゲート３が全閉状態、図２はゲート３が堰上げ状態、図３はゲート３が全開状態を示している。
【００１８】
先ず、図１（ａ），（ｂ）を参照して本実施形態を説明すると、二段式ゲート１０は、水位調整用の下段扉４と上段扉５とが設けられ、全閉状態では下段扉４に上段扉５が積み重ねられるように取水口１０ａを塞ぎ、下段扉４と上段扉５にはゲート３との接触面にパッキンが設けられ、水密性が保持されて止水性を高めている。図２（ａ），（ｂ）は、下段扉４がその底部を河床に接触させて残置され、上段扉５が上方に引き上げられた堰上げ状態を示している。図３（ａ），（ｂ）は、下段扉４と上段扉５が上方に引き上げられて取水口１０ａを全開とした全開状態を示している。
【００１９】
一方、下段扉４には、その両側壁上部に舌片部４ａがそれぞれ左右方向に突設され、舌片部４ａの面に対し直交方向（水流方向）に係合軸４ｂが舌片部４ａに貫装されている（図４（ｃ）参照）。下段扉４の両側壁上部に設けられた係合軸４ｂはフック１２に係脱させることによって、下段扉４を引き上げたり、或いは下段扉４を河床に残置することができる。また、上段扉５の左右側壁中央部には耳部５ａがそれぞれ設けられている。耳部５ａの底部には凹嵌部５１  が設けられ、耳部５ａは上段扉５の昇降時に利用される。
【００２０】
次に、本実施形態の二段式ゲートの開閉装置について説明する。開閉装置は、操作棒６の上部に操作部１１が設けられ、開閉機構を昇降するように構成されており、開閉機構は、操作棒６の下端部がリフティングビーム７に回動自在に設けられ、リフティングビーム７の両端部には、昇降棒８がそれぞれ固定され、昇降棒８の先端部にフック１２がそれぞれ設けられ、フック１２の上部に昇降用係合部１４がそれぞれ設けられて構成されている。昇降棒８の下端部に設けられたフック１２は下段扉４の係合軸４ｂに掛合させて上方に引き上げるための掛合部材であり、昇降用係合部１４は上段扉５の耳部５ａに係合して上段扉５を上方に引き上げるための吊り上げ部材である。
【００２１】
フック１２は昇降棒８の下端部に設けられ、図４（ａ），（ｂ）に示すように、昇降棒８の下端部に設けられたブラケット１３に二枚のフック部材１２ａ，１２ｂが支持軸１６の回動自在に設けられ、フック部材１２ａ，１２ｂには、開口先端に掛合部１２１  が設けられ、掛合部１２１  より上部奥にガイド孔１２２  とが設けられ、フック部材１２ａ，１２ｂの内面側両面にはガイド孔１２２  に沿ったガイド溝１２３  がフック部材１２ａ，１２ｂの下端まで設けられている。フック部材１２ａ，１２ｂ間には、支持軸１６に挿通されたスプリング１７が設けられ、さらに、ブラケット１３とフック部材１２ａ間には支持軸１６に挿通されたスプリング１８が設けられ、ブラケット１３とフック部材１２ｂ間には支持軸１６に挿通されたスプリング１９が設けられており、これらスプリング１７〜１９によって、支持軸１６を支点としてフック部材１２ａ，１２ｂを拡開自在とし、かつスプリング１７〜１９はフック部材１２ａ，１２ｂの掛合部１２１  側に付勢している。また、昇降棒８に設けたブラケット１３の上部には昇降用係合部１４が掛合部１２１  側に設けられ、昇降用係合部１４の上部に凸部１５が設けられている。
【００２２】
次に、図２に示す堰上げ状態について、図５（ａ）を参照して説明する。操作部１１により操作棒６を昇降操作を行って、フック１２から下段扉４の係合軸４ｂを外してリフティングビーム７とともに昇降棒８を上昇させ、昇降棒８に設けられた昇降用係合部１４が上段扉５の耳部５ａに係合し、昇降棒８の上昇に連れて上段扉５が引き上げられ、下段扉４は河床に残置されているので、ゲートを堰上げ状態に設定することができる。因みに、上段扉５の上部には、昇降棒８が挿通される軸受９を設けた支持部材５ｂが設けられている。また、耳部５ａには、凹嵌部５１  が設けられ、昇降用係合部１４の凸部１５と噛み合うようになされている。
【００２３】
次いで、図３の全開状態について、図５（ｂ）を参照して説明する。操作部１１により操作棒６を操作して、リフティングビーム７とともに昇降棒８を開閉機構による昇降操作によって、フック１２を下段扉４の係合軸４ｂに掛合して、昇降棒８を引き上げることによって、フック１２に掛合した係合軸４ｂに吊り下げられて下段扉４が引き上げられ、下段扉４に上段扉５が積み重なった状態で、上下扉４，５が引き上げられてゲートが全開状態となる。
【００２４】
続いて、本実施形態における開閉装置の昇降操作によるフック１２と係合軸４ｂとの係脱方法について、図６，図７を参照して詳細に説明する。図６（ａ），（ｂ）は、フック１２に係合軸４ｂを係着させて下段扉４を引き上げるまでの連続状態を（イ）〜（ヌ）で示しており、図６（ａ）の（イ）〜（ト）はフック１２に係合軸４ｂを係着するまでの流れを示し、図６（ｂ）の（チ）〜（ヌ）はフック１２に係合軸４ｂを係着して下段扉４を引き上げる流れを示した。図６（ｃ）はフック１２の正面図である。
【００２５】
フック１２は、スプリング１７〜１９により掛合部１２１  とガイド孔１２２  とが形成された側に付勢されており、操作部１１により開閉機構（リフティングビーム７，昇降棒８，フック１２等）を降下操作することにによって、フック１２が下降し、係合軸４ｂがフック１２の底部傾斜面１２４  に当接する（（イ）〜（ロ））。さらに、フック１２を下降させると、フック１２が係合軸４ｂに押されて外周部傾斜面１２４  に沿って、掛合部１２１  の入口に到達する（（ハ）〜（ヘ））。さらに、フック１２が下降すると、スプリング１７〜１９の反発力により係合軸４ｂが掛合部１２１  の上部に当接し（ト）、この状態からフック１２を引き上げると、係合軸４ｂが掛合部１２１  に掛合し（（チ），図６（ｃ）参照）、この掛合状態からフック１２が引き上げられ、下段扉４の係合軸４ｂがフック１２の掛合部１２１  に係合して下段扉４が引き上げられる（（リ）〜（ヌ））。
【００２６】
続いて、図７（ａ）〜（ｄ）及び図７（ｅ）〜（ｈ）を参照して、フック１２から係合軸４ｂを脱着する方法を説明する。図７（ａ）の（イ）〜（ハ）はフック１２に係合軸４ｂが掛合した状態を示し、下段扉４が河床に接地するまでを示し、図７（ｂ）の（ニ）〜（ヘ）はフック１２に掛合した係合軸４ｂを離脱させる状態を示し、図７（ｃ）の（ト）〜（リ）は離脱した係合軸４ｂを引き抜く状態を示し、図７（ｄ）の（ヌ），（ル）は係合軸４ｂがフック１２から引き抜かれた状態を示す図である。図７（ｅ）〜（ｈ）は、図７（ａ）〜（ｄ）のフック１２の各状態を示している。
【００２７】
図７（ａ）の（イ）〜（ハ）は、係合軸４ｂがフック１２に掛合した状態でフック１２を降下させ、下段扉４が河床に接触して係合軸４ｂの位置が所定位置（一点鎖線）に定まり、さらに降下させると、図７（ｂ）の（ニ）のように、掛合部１２１  から離脱し、同時にスプリングの復元力によりフック１２が元の状態に戻り（（ホ），（ヘ））、係合軸４ｂがガイド孔１２２  に移動する。この状態からフック１２を上昇させると、係合軸４ｂはガイド孔１２２  からガイド溝１２３  に沿ってフック部材１２ａ，１２ｂを押し広げながらガイド溝１２３  を通過し（（ト）〜（リ），図７（ｇ）参照）、フック１２から離脱する（（ヌ），（ル））。
【００２８】
このようにして、係合軸４ｂは、下段扉４の底部が河床に接地することにより降下を停止し、さらにフック１２が降下すると、フック１２のスプリング１７〜１９による復元力によって、ガイド孔１２２  に嵌り、この状態からフック１２を上昇させることによって、係合軸４ｂがフック部材１２ａ，１２ｂを押し広げながらガイド溝１２３  を通過し（図７（ｇ）参照）、フック１２が係合軸４ｂから引く抜かれる。拡開したフック部材１２ａ，１２ｂは、フック１２が上昇するにつれてスプリング１８の復元力によって元に戻る（図７（ｈ）参照）。
【００２９】
次に、本発明の他の実施形態について図８（ａ），（ｂ）を参照して説明する。なお、本実施形態は、フックを除き概ね上記実施形態と同様であり、図８はフックの他の形態を示し、上記実施形態の昇降棒８の下端に設けられる。
【００３０】
図８（ａ）において、本実施形態のフック２０はフック上部が支持軸で昇降棒８に回動自在に設けられ、フック下部２１には掛合部２１１  が設けられ、掛合部２１１  による開口を塞ぐように揺動部材２２が掛合部２１１  の上部に回動自在に設けられている。図８（ａ）の（イ）〜（チ）は、フック２０に下段扉４から突出する係合軸４ｂを掛合して下段扉４を上方に引き上げる過程を示している。図８（ａ）の（イ）〜（ホ）が、フック２０に係合軸４ｂを掛合する際の降下過程を示し、図８（ａ）の（ヘ）〜（チ）が、フック２０に係合軸４ｂを掛合した後の上昇過程を示す図である。
【００３１】
フック２０が降下すると（イ）、底部傾斜面２１２  が係合軸４ｂに当接し（ロ）、さらに降下させると、係合軸４ｂが揺動部材２２に接触し（ニ）、揺動部材２２が係合軸４ｂに押し上げられて（ホ）、係合軸４ｂがフック２０の掛合部２１１  に入り込み掛合し（ヘ），（ト）、フック２０が上昇することによって、下段扉４が上昇する。
【００３２】
続いて、図８（ｂ）の（イ）〜（リ）を参照し、上方の下段扉４を下方に引き下ろして堰上げ状態とする過程を説明する。なお、図８（ｂ）の（イ）〜（ヘ）は、フック２０に係合軸４ｂが掛合して降下する過程の各状態を示し、図８（ｂ）の（ト）〜（リ）は、フック２０から係合軸４ｂを外してフック２０が上昇する過程の各状態を示す図である。
【００３３】
図８（ｂ）の（イ）に示したように、フック２０に係合軸４ｂが掛合した状態でフック２０を降下させると、下段扉４の底部が河床に接触して係合軸４ｂが所定位置に定まり（ロ）、さらにフック２０を降下させると、係合軸４ｂは上部傾斜面２１３  を滑り揺動部材２２を押し上げ（ハ）、さらにフック２０を降下させると、揺動部材２２が完全に開く（ニ）。さらに、フック２０を降下させると、係合軸４ｂが揺動部材２２の端部より上方となり（ホ）、揺動部材２２は下方に回動し掛合部２１１  を塞ぐ（ヘ）。フック２０を上昇させると、揺動部材２２は掛合部２１１  を塞いでいるので、係合軸４ｂが掛合部２１１  に嵌入することなく（ト）、引く上げられ（（チ），（リ）、下段扉４はゲート底部に残置され、堰上げ状態に設定することができる。なお、この時、上段扉は上記実施形態で説明したように引き上げられている。
【００３４】
なお、フック２０は、昇降棒の下端部に設けたブラケットに回動自在に設けてもよいし、好ましくは、フック２０をその掛合部２１１  の開口側にスプリングで付勢するようにする（図示なし）。フック２０をスプリングで付勢するとともに、昇降棒を降下させてフック２０を係合軸４ｂに掛合する際、係合軸４ｂが底部傾斜面２１２  に当接するように規制して、係合軸４ｂが確実に掛合部２１１  に掛合するようにする。
【産業上の利用可能性】
【００３５】
本発明の二段式ゲートの開閉装置は、堰上げ高さを任意に設定できるゲートを提供できるものであり、土砂が流れ込み堆積し易い河川に効果的であり、河川は勿論、湖沼、各種ダム、下水道等に広く利用することができる。
【図面の簡単な説明】
【００３６】
【図１】（ａ）は、本発明に係る二段式ゲートの開閉装置の実施形態であり、ゲートが全閉状態の正面図であり、（ｂ）は要部断側面図である。
【図２】（ａ）は、本発明に係る二段式ゲートの開閉装置の実施形態であり、ゲートが堰上げ状態の正面図であり、（ｂ）は要部断側面図である。
【図３】（ａ）は、本発明に係る二段式ゲートの開閉装置の実施形態であり、ゲートが全開状態の正面図であり、（ｂ）は要部断側面図である。
【図４】（ａ）は本実施形態のフックの拡大正面図、（ｂ）はその側面図であり、（ｃ）は下段扉の耳部拡大図である。
【図５】（ａ）は本実施形態の上段扉を引き上げる際の動作を説明する正面半割図、（ｂ）は本実施形態の下段扉と上段扉とを引き上げて全開状態とする際の動作を説明する正面半割図である。
【図６】（ａ），（ｂ）本実施形態におけるフックに係合軸を係着する説明図であり、（ｃ）はフックの正面図である。
【図７】（ａ）〜（ｄ）は、本実施形態におけるフックに係合軸を脱着する説明図であり、図（ｅ）〜（ｈ）は（ａ）〜（ｄ）に対応するフックの正面図である。
【図８】（ａ），（ｂ）は本発明の他の実施形態を示し、（ａ）はフックに係合軸を係着する説明図、（ｂ）はフックに係合軸を脱着する説明図である。
【図９】従来の二段式ゲートの開閉装置を説明するための側面図であり、（ａ）は全閉状態、（ｂ）は堰上げ状態、（ｃ）は全開状態を示している。
【図１０】従来の他の二段式ゲートの開閉装置を説明するための側面図であり、（ａ）は全閉状態、（ｂ）は堰上げ状態を示している。
【符号の説明】
【００３７】
３  ゲート
４  下段扉
４ａ  舌片部
４ｂ  係合軸
５  上段扉
５ａ  耳部
５ｂ  支持部材
５１    凹嵌部
６  操作棒
７  リフティングビーム
８  昇降棒
９  軸受
１０  二段式ゲート
１０ａ  取水口
１１  操作部
１２  フック
１２ａ，１２ｂ  フック部材
１２１    掛合部
１２２    ガイド孔
１２３    ガイド溝
１２４    底部傾斜面
１３  ブラケット
１４  昇降用係合部
１５  凸部
１６  支持軸
１７〜１９  スプリング
２０  フック
２１  フック下部
２１１    掛合部
２１２    底部傾斜面
２１３    上部傾斜面
２２  揺動部材
【図１】
2005325557.tif 000003
【図２】
2005325557.tif 000004
【図３】
2005325557.tif 000005
【図４】
2005325557.tif 000006
【図５】
2005325557.tif 000007
【図６】
2005325557.tif 000008
【図７】
2005325557.tif 000009
【図８】
2005325557.tif 000010
【図９】
2005325557.tif 000011
【図１０】
2005325557.tif 000012